(57)【要約】【課題】ウオールピクチャ処理を実行しながら放送中の番組の内容を報知することができる受像システム、受信装置、表示装置及び受像機を提供する。【解決手段】予め記憶している画像データに基づいた画像を表示装置２で表示するウオールピクチャ処理を行いながら、受信装置１は、放送信号を受信し、放送された番組の映像から画像を抽出し、抽出した画像を表す画像データに基づいた画像を表示装置２へ送信する。表示装置２は、受信装置１からの画像データに基づいた画像を、ウオールピクチャ処理で表示する画像に交ぜて表示する。これにより、ウオールピクチャ処理中に、各チャンネルにおける放送中の番組の内容を示す画像が表示される。【選択図】図１
2010177946.tif 000002
【特許請求の範囲】
【請求項１】
放送信号を受信するチューナ部を備え、放送信号に基づいた映像信号を出力する受信装置と、表示部を備え、前記受信装置が出力した映像信号に基づいた映像を該表示部に表示する表示装置とを含んでなる受像システムにおいて、
前記表示装置は、
画像データを記録する記録媒体から画像データを読み出す手段と、
該手段が読み出した画像データに基づいた画像を前記表示部に表示させる第１表示手段とを備え、
前記受信装置は、
前記チューナ部への給電を停止する停止手段と、
特定の時点で前記チューナ部への給電を再開する再開手段と、
前記チューナ部への給電が再開した以降に前記チューナ部が受信した放送信号に基づいて、放送された番組の映像から画像を抽出する画像抽出手段と、
該画像抽出手段が抽出した画像を表す画像データを前記表示装置へ送信する手段とを備え、
前記表示装置は、更に、
前記第１表示手段が表示させる画像に追加して、前記受信装置から受信した画像データに基づいた画像を前記表示部に表示させる第２表示手段と
を備えることを特徴とする受像システム。
【請求項２】
前記受信装置は、
前記チューナ部への給電が再開した場合に、前記チューナ部に複数のチャンネルで放送信号を受信させる手段を更に備え、
前記画像抽出手段は、前記チューナ部が前記複数のチャンネルで受信した放送信号の夫々に基づいて画像を抽出する手段を有し、
前記表示装置は、
前記複数のチャンネルに係る複数の画像を一つの画像に合成した合成画像を作成する手段を更に備え、
前記第２表示手段は、前記合成画像を前記表示部に表示させる手段を有すること
を特徴とする請求項１に記載の受像システム。
【請求項３】
前記受信装置は、
前記チューナ部への給電が再開した場合に、前記チューナ部に複数のチャンネルで放送信号を受信させる手段を更に備え、
前記画像抽出手段は、前記チューナ部が前記複数のチャンネルで受信した放送信号の夫々に基づいて画像を抽出する手段を有し、
前記第２表示手段は、前記複数のチャンネルに係る複数の画像を順次的に前記表示部に表示させる手段を有すること
を特徴とする請求項１に記載の受像システム。
【請求項４】
前記再開手段は、予め定められた時間間隔で前記チューナ部への給電を再開する手段を有し、
前記停止手段は、前記画像抽出手段が抽出した画像の送信が終了した後に前記チューナ部への給電を停止する手段を有すること
を特徴とする請求項１から３までのいずれか一つに記載の受像システム。
【請求項５】
前記受信装置は、
放送信号から電子番組表のデータを生成する手段と、
電子番組表のデータに基づいて、何れかのチャンネルで次に最も早く放送が開始される番組の放送開始時刻を求める手段と、
該手段が求めた放送開始時刻を、次に前記チューナ部への給電を再開する時刻に設定する手段とを更に備え、
前記停止手段は、前記画像抽出手段が抽出した画像の送信が終了した後に前記チューナ部への給電を停止する手段を有すること
を特徴とする請求項１から３までのいずれか一つに記載の受像システム。
【請求項６】
前記受信装置は、
放送信号から電子番組表のデータを生成する手段と、
電子番組表のデータに基づいて、特定のチャンネルで放送される複数の番組の放送開始時刻を求める手段と、
該手段が求めた前記複数の番組の放送開始時刻の夫々を、前記チューナ部への給電を再開する時刻に設定する手段とを更に備え、
前記停止手段は、前記画像抽出手段が抽出した画像の送信が終了した後に前記チューナ部への給電を停止する手段を有すること
を特徴とする請求項１から３までのいずれか一つに記載の受像システム。
【請求項７】
前記再開手段は、予め定められた所定の再開時刻に前記チューナ部への給電を再開する手段を有しており、
前記受信装置は、
放送信号から電子番組表のデータを生成する手段と、
電子番組表のデータに基づいて、前記所定の再開時刻から予め定められた所定の停止時刻までの間に放送が開始される番組を検出する手段とを更に備え、
前記画像抽出手段は、放送信号に基づいて、放送が開始された番組の映像から画像を抽出する手段を有し、
前記停止手段は、前記所定の停止時刻に前記チューナ部への給電を停止する手段を有すること
を特徴とする請求項１から３までのいずれか一つに記載の受像システム。
【請求項８】
前記受信装置との間で通信を行う遠隔操作装置を更に含んでなり、
前記受信装置は、
前記画像抽出手段が抽出した画像を表す画像データを前記遠隔操作装置へ送信する手段を更に備え、
前記遠隔操作装置は、
表示部と、
前記受信装置から受信した画像データに基づいた画像を前記表示部に表示させる手段と
を備えることを特徴とする請求項１から７までのいずれか一つに記載の受像システム。
【請求項９】
放送信号を受信するチューナ部を備え、放送信号に基づいた映像信号を出力する受信装置と、表示部を備え、前記受信装置が出力した映像信号に基づいた映像を該表示部に表示する表示装置と、前記受信装置に対して通信を行う遠隔操作装置とを含んでなる受像システムにおいて、
前記表示装置は、
画像データを記録する記録媒体から画像データを読み出す手段と、
該手段が読み出した画像データに基づいた画像を前記表示部に表示させる手段とを備え、
前記受信装置は、
前記チューナ部への給電を停止する停止手段と、
特定の時点で前記チューナ部への給電を再開する再開手段と、
前記チューナ部への給電が再開した以降に前記チューナ部が受信した放送信号に基づいて、放送された番組の映像から画像を抽出する画像抽出手段と、
該画像抽出手段が抽出した画像を表す画像データを前記遠隔操作装置へ送信する手段とを備え、
前記遠隔操作装置は、
表示部と、
前記受信装置から受信した画像データに基づいた画像を前記表示部に表示させる手段と
を備えることを特徴とする受像システム。
【請求項１０】
放送信号を受信するチューナ部を備え、放送信号に基づいた映像信号を出力する受信装置において、
前記チューナ部への給電を停止する停止手段と、
特定の時点で前記チューナ部への給電を再開する再開手段と、
前記チューナ部への給電が再開した以降に前記チューナ部が受信した放送信号に基づいて、放送された番組の映像から画像を抽出する画像抽出手段と、
該画像抽出手段が抽出した画像を表す画像データを出力する手段と
を備えることを特徴とする受信装置。
【請求項１１】
表示部を備え、外部から受け付けた映像信号に基づいた映像を該表示部に表示する表示装置において、
画像データを記録する記録媒体から画像データを読み出す手段と、
該手段が読み出した画像データに基づいた画像を前記表示部に表示させる第１表示手段と、
外部から画像データを受け付ける手段と、
前記第１表示手段が表示させる画像に追加して、外部から受け付けた画像データに基づいた画像を前記表示部に表示させる第２表示手段と
を備えることを特徴とする表示装置。
【請求項１２】
表示部と、放送信号を受信するチューナ部とを備え、放送信号に基づいた映像を前記表示部に表示する受像機において、
前記チューナ部への給電を停止する停止手段と、
画像データを記録する記録媒体から画像データを読み出す手段と、
該手段が読み出した画像データに基づいた画像を前記表示部に表示させる第１表示手段と、
特定の時点で前記チューナ部への給電を再開する再開手段と、
前記チューナ部への給電が再開した以降に前記チューナ部が受信した放送信号に基づいて、放送された番組の映像から画像を抽出する画像抽出手段と、
前記第１表示手段が表示させる画像に追加して、前記画像抽出手段が抽出した画像を前記表示部に表示させる第２表示手段と
を備えることを特徴とする受像機。
【発明の詳細な説明】
【技術分野】
【０００１】
本発明は、放送された映像を表示する受像システムに関し、より詳しくは、放送中の映像を表示していない間に特定の画像を表示する機能を備えた受像システム、受信装置、表示装置及び受像機に関する。
【背景技術】
【０００２】
テレビジョンの受像機は、近年、薄型化と大画面化とが進んでいる。受像機の薄型化に伴い、チューナ部を備えた受信装置と、該受信装置が受信した映像を表示する表示装置とを分離した受像システムも実用化されている。薄型化した受像機又は表示装置は、壁寄せ又は壁掛けの形態で利用することが可能である。
【０００３】
このような受像機又は受像システムには、放送中の映像を表示していない間に所定の画像を画面上に表示する機能（以下、ウォールピクチャ機能と言う）を備えたものがある。ウォールピクチャ機能で表示される画像としては、絵画又は写真等の予め内部に記憶されている画像、又はカメラ等を用いてユーザが作成した画像等が利用される。特許文献１には、ウォールピクチャ機能を備えた受像機の例が開示されている。また特許文献２には、受像機において、複数の画像を順に切り換えて表示するスライドショーを表示する技術が開示されている。
【先行技術文献】
【特許文献】
【０００４】
【特許文献１】特開２００２−２１８３３１号公報
【特許文献２】特開２００７−３６５８５号公報
【発明の概要】
【発明が解決しようとする課題】
【０００５】
受像機又は受像システムで利用される従来のウォールピクチャ機能では、画像を表示している間は放送中の映像を表示しないので、ユーザには放送中の番組が分からないという問題がある。また予め記憶されている画像及びユーザが作成した画像には限りがあるので、ウォールピクチャ機能を長期間利用した場合は同一の画像が繰り返し表示されることとなり、表示される画像にユーザが飽きてしまうという問題がある。
【０００６】
本発明は、斯かる事情に鑑みてなされたものであって、その目的とするところは、ウォールピクチャ機能で表示する画像に放送中の番組を反映した画像を追加することにより、ウォールピクチャ処理を実行しながら放送中の番組の内容を報知することができ、またウォールピクチャ機能で表示する画像に変化をつけることができる受像システム、受信装置、表示装置及び受像機を提供することにある。
【課題を解決するための手段】
【０００７】
本発明に係る受像システムは、放送信号を受信するチューナ部を備え、放送信号に基づいた映像信号を出力する受信装置と、表示部を備え、前記受信装置が出力した映像信号に基づいた映像を該表示部に表示する表示装置とを含んでなる受像システムにおいて、前記表示装置は、画像データを記録する記録媒体から画像データを読み出す手段と、該手段が読み出した画像データに基づいた画像を前記表示部に表示させる第１表示手段とを備え、前記受信装置は、前記チューナ部への給電を停止する停止手段と、特定の時点で前記チューナ部への給電を再開する再開手段と、前記チューナ部への給電が再開した以降に前記チューナ部が受信した放送信号に基づいて、放送された番組の映像から画像を抽出する画像抽出手段と、該画像抽出手段が抽出した画像を表す画像データを前記表示装置へ送信する手段とを備え、前記表示装置は、更に、前記第１表示手段が表示させる画像に追加して、前記受信装置から受信した画像データに基づいた画像を前記表示部に表示させる第２表示手段とを備えることを特徴とする。
【０００８】
本発明に係る受像システムは、前記受信装置は、前記チューナ部への給電が再開した場合に、前記チューナ部に複数のチャンネルで放送信号を受信させる手段を更に備え、前記画像抽出手段は、前記チューナ部が前記複数のチャンネルで受信した放送信号の夫々に基づいて画像を抽出する手段を有し、前記表示装置は、前記複数のチャンネルに係る複数の画像を一つの画像に合成した合成画像を作成する手段を更に備え、前記第２表示手段は、前記合成画像を前記表示部に表示させる手段を有することを特徴とする。
【０００９】
本発明に係る受像システムは、前記受信装置は、前記チューナ部への給電が再開した場合に、前記チューナ部に複数のチャンネルで放送信号を受信させる手段を更に備え、前記画像抽出手段は、前記チューナ部が前記複数のチャンネルで受信した放送信号の夫々に基づいて画像を抽出する手段を有し、前記第２表示手段は、前記複数のチャンネルに係る複数の画像を順次的に前記表示部に表示させる手段を有することを特徴とする。
【００１０】
本発明に係る受像システムは、前記再開手段は、予め定められた時間間隔で前記チューナ部への給電を再開する手段を有し、前記停止手段は、前記画像抽出手段が抽出した画像の送信が終了した後に前記チューナ部への給電を停止する手段を有することを特徴とする。
【００１１】
本発明に係る受像システムは、前記受信装置は、放送信号から電子番組表のデータを生成する手段と、電子番組表のデータに基づいて、何れかのチャンネルで次に最も早く放送が開始される番組の放送開始時刻を求める手段と、該手段が求めた放送開始時刻を、次に前記チューナ部への給電を再開する時刻に設定する手段とを更に備え、前記停止手段は、前記画像抽出手段が抽出した画像の送信が終了した後に前記チューナ部への給電を停止する手段を有することを特徴とする。
【００１２】
本発明に係る受像システムは、前記受信装置は、放送信号から電子番組表のデータを生成する手段と、電子番組表のデータに基づいて、特定のチャンネルで放送される複数の番組の放送開始時刻を求める手段と、該手段が求めた前記複数の番組の放送開始時刻の夫々を、前記チューナ部への給電を再開する時刻に設定する手段とを更に備え、前記停止手段は、前記画像抽出手段が抽出した画像の送信が終了した後に前記チューナ部への給電を停止する手段を有することを特徴とする。
【００１３】
本発明に係る受像システムは、前記再開手段は、予め定められた所定の再開時刻に前記チューナ部への給電を再開する手段を有しており、前記受信装置は、放送信号から電子番組表のデータを生成する手段と、電子番組表のデータに基づいて、前記所定の再開時刻から予め定められた所定の停止時刻までの間に放送が開始される番組を検出する手段とを更に備え、前記画像抽出手段は、放送信号に基づいて、放送が開始された番組の映像から画像を抽出する手段を有し、前記停止手段は、前記所定の停止時刻に前記チューナ部への給電を停止する手段を有することを特徴とする。
【００１４】
本発明に係る受像システムは、前記受信装置との間で通信を行う遠隔操作装置を更に含んでなり、前記受信装置は、前記画像抽出手段が抽出した画像を表す画像データを前記遠隔操作装置へ送信する手段を更に備え、前記遠隔操作装置は、表示部と、前記受信装置から受信した画像データに基づいた画像を前記表示部に表示させる手段とを備えることを特徴とする。
【００１５】
本発明に係る受像システムは、放送信号を受信するチューナ部を備え、放送信号に基づいた映像信号を出力する受信装置と、表示部を備え、前記受信装置が出力した映像信号に基づいた映像を該表示部に表示する表示装置と、前記受信装置に対して通信を行う遠隔操作装置とを含んでなる受像システムにおいて、前記表示装置は、画像データを記録する記録媒体から画像データを読み出す手段と、該手段が読み出した画像データに基づいた画像を前記表示部に表示させる手段とを備え、前記受信装置は、前記チューナ部への給電を停止する停止手段と、特定の時点で前記チューナ部への給電を再開する再開手段と、前記チューナ部への給電が再開した以降に前記チューナ部が受信した放送信号に基づいて、放送された番組の映像から画像を抽出する画像抽出手段と、該画像抽出手段が抽出した画像を表す画像データを前記遠隔操作装置へ送信する手段とを備え、前記遠隔操作装置は、表示部と、前記受信装置から受信した画像データに基づいた画像を前記表示部に表示させる手段とを備えることを特徴とする。
【００１６】
本発明に係る受信装置は、放送信号を受信するチューナ部を備え、放送信号に基づいた映像信号を出力する受信装置において、前記チューナ部への給電を停止する停止手段と、特定の時点で前記チューナ部への給電を再開する再開手段と、前記チューナ部への給電が再開した以降に前記チューナ部が受信した放送信号に基づいて、放送された番組の映像から画像を抽出する画像抽出手段と、該画像抽出手段が抽出した画像を表す画像データを出力する手段とを備えることを特徴とする。
【００１７】
本発明に係る表示装置は、表示部を備え、外部から受け付けた映像信号に基づいた映像を該表示部に表示する表示装置において、画像データを記録する記録媒体から画像データを読み出す手段と、該手段が読み出した画像データに基づいた画像を前記表示部に表示させる第１表示手段と、外部から画像データを受け付ける手段と、前記第１表示手段が表示させる画像に追加して、外部から受け付けた画像データに基づいた画像を前記表示部に表示させる第２表示手段とを備えることを特徴とする。
【００１８】
本発明に係る受像機は、表示部と、放送信号を受信するチューナ部とを備え、放送信号に基づいた映像を前記表示部に表示する受像機において、前記チューナ部への給電を停止する停止手段と、画像データを記録する記録媒体から画像データを読み出す手段と、該手段が読み出した画像データに基づいた画像を前記表示部に表示させる第１表示手段と、特定の時点で前記チューナ部への給電を再開する再開手段と、前記チューナ部への給電が再開した以降に前記チューナ部が受信した放送信号に基づいて、放送された番組の映像から画像を抽出する画像抽出手段と、前記第１表示手段が表示させる画像に追加して、前記画像抽出手段が抽出した画像を前記表示部に表示させる第２表示手段とを備えることを特徴とする。
【００１９】
本発明においては、記録媒体で記録している画像データに基づいた画像を表示部で表示するウォールピクチャ処理を行いながら、放送信号を受信し、放送された番組の映像から画像を抽出し、抽出した画像を表す画像データに基づいた画像を、ウォールピクチャ処理で表示する画像に追加して表示部で表示する。これにより、本発明では、ウォールピクチャ処理中に、各チャンネルにおける放送中の番組の内容を示す画像をウォールピクチャ用の画像の合間に表示する。
【００２０】
また本発明においては、複数のチャンネルで放送された番組の映像から画像を抽出し、複数のチャンネルに係る複数の画像を一画面に合成した合成画像を表示部で表示する。これにより、各チャンネルの放送内容の比較が可能となる。
【００２１】
また本発明においては、複数のチャンネルで放送された番組の映像から画像を抽出し、複数のチャンネルに係る複数の画像を順次的に表示部で表示する。これにより、各チャンネルに係る画像が個別に表示される。
【００２２】
また本発明においては、１０分等の所定時間間隔で放送番組の映像から画像を抽出し、放送中の番組の内容を示す画像を表示する。
【００２３】
また本発明においては、電子番組表のデータを利用し、何れかのチャンネルで番組の放送が開始される都度、放送された番組の映像から画像を抽出し、放送された番組の内容を示す画像を表示する。
【００２４】
また本発明においては、電子番組表のデータを利用し、特定のチャンネルで番組の放送が開始される都度、放送された番組の映像から画像を抽出し、放送された番組の内容を示す画像を表示する。
【００２５】
また本発明においては、電子番組表のデータを利用し、所定の再開時刻から停止時刻までの時間中に番組の放送が開始される都度、放送された番組の映像から画像を抽出し、放送された番組の内容を示す画像を表示する。
【００２６】
また本発明においては、遠隔操作装置に表示部を備え、放送された番組の内容を示す画像を遠隔装置の表示部で表示する。
【発明の効果】
【００２７】
本発明にあっては、受像機又は受像システムにおいて放送番組の映像が表示されておらずウォールピクチャ処理が実行されている状態であっても、各チャンネルにおける放送中の番組の内容を示す画像がウォールピクチャ用の画像の合間に表示され、視聴者は、放送中の番組の内容を把握することが可能となる。また放送番組に応じた画像が表示されることによって、ウォールピクチャ処理において表示部に表示される画像が変化し、視聴者は飽きがこずに画像の変化を楽しむことができる等、本発明は優れた効果を奏する。
【図面の簡単な説明】
【００２８】
【図１】実施の形態１に係る本発明の受像システムの外観を示す概念図である。
【図２】実施の形態１に係る本発明の受信装置の内部構成を示すブロック図である。
【図３】本発明の表示装置の内部構成を示すブロック図である。
【図４】受信装置が実行するウォールピクチャ処理の開始及び終了の処理の手順を示すフローチャートである。
【図５】実施の形態１に係る受像システムにおける、放送された番組の内容を示す画像を取得する処理の手順を示すフローチャートである。
【図６】表示装置が実行するウォールピクチャ処理及び受信装置１で取得した画像を表示する処理の手順を示すフローチャートである。
【図７】表示装置で表示される画像の変遷を示す模式図である。
【図８】表示装置が実行する各チャンネルに係る静止画像を順次的に表示する処理の手順を示すフローチャートである。
【図９】実施の形態２に係る受信装置の内部の構成を示すブロック図である。
【図１０】実施の形態２に係るリモコンの内部構成を示すブロック図である。
【図１１】実施の形態２に係る受像システムにおける、放送された番組の内容を示す画像を取得する処理の手順を示すフローチャートである。
【図１２】リモコンが実行する各チャンネルに係る静止画像を表示する処理の手順を示すフローチャートである。
【図１３】実施の形態３に係る受信装置の内部の構成を示すブロック図である。
【図１４】表示装置で表示するＥＰＧの例を示す模式図である。
【図１５】実施の形態３に係る受像システムにおける、放送された番組の内容を示す画像を取得する処理の手順を示すフローチャートである。
【図１６】実施の形態３に係る受像システムにおける、放送された番組の内容を示す画像を取得する処理の手順を示すフローチャートである。
【図１７】実施の形態４に係る受信装置で番組の内容を示す画像を取得するチャンネル及び再開時刻を設定する処理の手順を示すフローチャートである。
【図１８】実施の形態４に係る受像システムにおける、放送された番組の内容を示す画像を取得する処理の手順を示すフローチャートである。
【図１９】実施の形態５に係る受像システムにおける、放送された番組の内容を示す画像を取得する処理の手順を示すフローチャートである。
【図２０】実施の形態５に係る受像システムにおける、放送された番組の内容を示す画像を取得する処理の手順を示すフローチャートである。
【図２１】本発明の受像機の構成を示す模式図である。
【発明を実施するための形態】
【００２９】
以下本発明をその実施の形態を示す図面に基づき具体的に説明する。
（実施の形態１）
図１は、実施の形態１に係る本発明の受像システムの外観を示す概念図である。本発明の受像システムは、放送信号を受信する本発明の受信装置１と、映像を表示する本発明の表示装置２とを含んでなる。受信装置１と表示装置２とは、ＨＤＭＩ（High Definition Multimedia Interface）ケーブル４１で互いに接続されており、受信装置１は受信した信号に基づいた映像信号を表示装置２へ送信し、表示装置２は受信装置１からの映像信号に基づいた映像を表示する。本発明の受像システムは、受信装置１で放送信号を受信し、受信信号に応じた映像を表示装置２で表示することにより、放送された番組の映像を表示する。また本発明の表示装置２は、内部に記憶している画像データに基づいた画像を表示するウォールピクチャ機能を備えている。また受像システムは視聴者が操作するリモコン（リモートコントローラ）３を含む。受信装置１は、リモコン３と双方向の無線通信が可能であり、視聴者からの操作を受け付けたリモコン３から送信された信号を受信することにより、視聴者からの指示を受け付ける構成となっている。
【００３０】
図２は、実施の形態１に係る本発明の受信装置１の内部構成を示すブロック図である。受信装置１は、チューナ部１０１、ＴＳ（Transport Stream）復調部１０２及びＴＳ処理部１０３を備えている。チューナ部１０１、ＴＳ復調部１０２及びＴＳ処理部１０３には、選局制御部１０５が接続されており、選局制御部１０５は、選局可能な複数のチャンネルの中から一のチャンネルを特定し、特定したチャンネルを選局する制御信号をチューナ部１０１、ＴＳ復調部１０２及びＴＳ処理部１０３へ入力する。チューナ部１０１は、図示しないアンテナ又は有線放送の信号線等に接続されており、アンテナ又は信号線を介してデジタル放送の放送信号を受信し、選局制御部１０５からの制御信号に従って、選局されたチャンネル即ち特定の周波数帯の放送信号をストリームデータに変換し、ストリームデータをＴＳ復調部１０２へ入力する。ＴＳ復調部１０２は、チューナ部１０１から入力されたストリームデータから、選局されたチャンネルのＴＳデータを生成し、ＴＳデータをＴＳ処理部１０３へ入力する。ＴＳ処理部１０３は、ＴＳ復調部１０２から入力されたＴＳデータから、選局されたチャンネルで放送された番組の映像及び音声を表す映像データ及び音声データを生成する。またＴＳ処理部１０３は、映像データ及び音声データを生成する処理の際には、暗号化解除等の必要な処理を実行する。
【００３１】
ＴＳ処理部１０３には、音声復調部１０４及び映像復調部１０６が接続されており、音声復調部１０４及び映像復調部１０６にはＨＤＭＩ送信部１０７が接続されている。音声復調部１０４は、ＴＳ処理部１０３から入力された音声データを特定のフォーマットのデジタル音声信号に変換し、ＨＤＭＩ送信部１０７へ入力する。映像復調部１０６は、ＴＳ処理部１０３から入力された映像データを特定のフォーマットのデジタル映像信号に変換し、ＨＤＭＩ送信部１０７へ入力する。ＨＤＭＩ送信部１０７は、ＨＤＭＩの規格に従って構成されたインタフェースであり、ＨＤＭＩケーブル４１の一端が接続される。ＨＤＭＩケーブル４１の他端は、後述する表示装置のＨＤＭＩ受信部２８に接続される。ＨＤＭＩ送信部１０７は、デジタル音声信号及びデジタル映像信号をＨＤＭＩケーブル４１を介して表示装置２へ送信する。
【００３２】
映像復調部１０６には、映像復調部１０６が出力するデジタル映像信号が表す映像から一フレーム分の静止画像を抽出する画像抽出部１１０が接続されている。具体的には、画像抽出部１１０は、デジタル映像信号から、一フレーム分の静止画像に対応する映像信号を抽出し、抽出した分の映像信号に対応する画像を表す画像データを生成する処理を行う。画像抽出部１１０は、ＨＤＭＩ送信部１０７に接続されており、生成した画像データをＨＤＭＩ送信部１０７へ入力する。ＨＤＭＩ送信部１０７は、画像抽出部１１０から入力された画像データをＨＤＭＩケーブル４１を介して表示装置２へ送信する。また選局制御部１０５及び画像抽出部１１０には画像抽出制御部１０９が接続されている。画像抽出制御部１０９は、選局制御部１０５が選局するチャンネルを制御する処理を行い、選局したチャンネルで放送された番組の映像から画像抽出部１１０に画像を抽出させる処理を行う。
【００３３】
画像抽出制御部１０９には、タイマー制御部１０８が接続されている。タイマー制御部１０８は、時刻を計測する手段と、設定された時刻を示す情報を内部で記憶する手段とを内部に備えており、計測する時刻が設定された時刻になった場合に画像抽出制御部１０９を動作させる処理を行う。また受信装置１は、受信装置を構成するチューナ部１０１等の各部分に対する電力の供給を停止する省電力状態に移行する機能を備えている。タイマー制御部１０８は、図示しない電力供給部の動作を制御し、時間の経過に伴って、電力供給部に各部への給電を停止させることにより受信装置１を省電力状態へ移行させる処理を行う。またタイマー制御部１０８は、省電力状態においても電力を供給されて動作する構成となっており、計測する時刻が設定された時刻になった場合に電力供給部にチューナ部１０１を含む各部への電力供給を再開させることにより、受信装置１を省電力状態から復帰させる処理を行う。
【００３４】
更に受信装置１は、リモコン３に対して情報を送受信するリモコン送受信部１１１を備えている。リモコン送受信部１１１は、選局制御部１０５に接続されており、視聴者から所定の操作を受け付けたリモコン３から送信された信号を受信することにより、選局すべきチャンネルを指定した選局指示を受け付け、受け付けた選局指示を選局制御部１０５へ入力する。選局制御部１０５は、入力された選局指示に従ったチャンネルをチューナ部１０１に選局させる処理を行う。またリモコン送受信部１１１は、タイマー制御部１０８に接続されており、リモコン３から受信した制御指示をタイマー制御部１０８へ入力する。更にリモコン送受信部１１１は、ＨＤＭＩ送信部１０７に接続されており、表示装置２の動作を制御するための制御指示をリモコン３から受信し、受信した制御指示に対応する制御信号をＨＤＭＩ送信部１０７へ入力する。ＨＤＭＩ送信部１０７は、リモコン送受信部１１１から入力された制御信号をＨＤＭＩケーブル４１を介して表示装置２へ送信する。
【００３５】
図３は、本発明の表示装置２の内部構成を示すブロック図である。表示装置２は、液晶パネル、ＥＬ（エレクトロルミネセンス）パネル又はプラズマディスプレイパネル等の表示部２１と、表示部２１を制御する表示制御部２２と、スピーカ２４と、スピーカ２４を制御する音声制御部２５と、ＨＤＭＩ受信部２８とを備えている。ＨＤＭＩ受信部２８は、ＨＤＭＩの規格に従って構成されたインタフェースであり、一端が受信装置１のＨＤＭＩ送信部１０７に接続されたＨＤＭＩケーブル４１の他端が接続される。ＨＤＭＩ受信部２８は、表示制御部２２及び音声制御部２５に接続されており、受信装置１からＨＤＭＩケーブル４１を介して送信されたデジタル音声信号及びデジタル映像信号を受信し、デジタル音声信号を音声制御部２５へ入力し、デジタル映像信号を表示制御部２２へ入力する。
【００３６】
音声制御部２５は、入力されたデジタル音声信号が表す音声をスピーカ２４に出力させる処理を行う。表示制御部２２は、入力されたデジタル映像信号が表す映像を表示部２１に表示させる処理を行う。これによって、放送された番組の映像が表示部２１に表示される。またＨＤＭＩ受信部２８は、受信装置１からＨＤＭＩケーブル４１を介して送信された制御信号を受信し、必要に応じて制御信号を表示制御部２２又は音声制御部２５へ入力する。表示制御部２２及び音声制御部２５は、入力された制御信号に応じた処理を実行する。例えば、音声制御部２５は、音量を指定する制御信号を入力され、制御信号に従ってスピーカ２４の音量を制御する。また例えば、表示制御部２２は、映像の明るさを指定する制御信号を入力され、表示部２１が表示する映像の明るさを制御信号に従って制御する。
【００３７】
また表示装置２は、ハードディスク又は不揮発性の半導体メモリ等の不揮発性の記録媒体を用いて画像データを記憶する画像データ記憶部２９を備えている。画像データ記憶部２９には、画像データ記憶部２９に対して画像データの読み出し及び書き込みを行う記憶制御部２６が接続されている。記憶制御部２６には、ＵＳＢ（Universal Serial Bus）メモリ等の外部記録媒体４２が接続されるＵＳＢコネクタ等の記録媒体受付部２７が接続されている。記憶制御部２６は、記録媒体受付部２７に接続された外部記録媒体４２から、外部記録媒体４２に記録されている画像データを読み出し、読み出した画像データを画像データ記憶部２９に記憶させる処理を行う。視聴者は、カメラ等を用いて作成した画像データを外部記録媒体４２に記録し、画像データを記録した外部記録媒体４２を記録媒体受付部２７に接続することにより、作成した画像データを表示装置２に記憶させることができる。視聴者は、販売された外部記録媒体４２を購入し、購入した外部記録媒体４２に予め記録されている画像データを表示装置２に記憶させることもできる。なお、外部記録媒体４２は、ＰＣ（パーソナルコンピュータ）又は携帯電話機等、画像データを記憶する機能を備えた電子機器であってもよい。また外部記録媒体４２は、磁気ディスク又は光ディスクであってもよく、記録媒体受付部２７は、磁気ディスク又は光ディスクを取り込んで磁気ディスク又は光ディスクに記録された画像データを読み出すディスクドライブであってもよい。
【００３８】
記憶制御部２６には、ＨＤＭＩ受信部２８が接続されており、ＨＤＭＩ受信部２８は、受信装置１の画像抽出部１１０が作成した画像データを受信し、受信した画像データを記憶制御部２６へ入力する。記憶制御部２６は、入力された画像データを画像データ記憶部２９に記憶させる。画像データ記憶部２９は、ウォールピクチャ機能で利用するための複数のウォールピクチャ用画像データ２９１と、受信装置１から受信した画像データである複数のキャプチャ画像データ２９２とを区別して記憶している。例えば、画像データ記憶部２９は、ウォールピクチャ用画像データ２９１とキャプチャ画像データ２９２とを互いに異なるフォルダに分けて記憶させてもよく、またウォールピクチャ用画像データ２９１とキャプチャ画像データ２９２とを物理的に異なる記録媒体に分けて記憶させてもよい。画像データ記憶部２９が記憶する複数のウォールピクチャ用画像データ２９１には、表示装置２の出荷時点で予め記憶されている画像データと、外部記録媒体４２から読み出した画像データが含まれる。ウォールピクチャ用画像データ２９１が表す画像は、例えば絵画又は風景写真等である。なお、表示装置２は、インターネット等の外部の通信ネットワークに接続する機能を備え、通信ネットワーク経由でウォールピクチャ用画像データ２９１をダウンロードする形態であってもよい。
【００３９】
記憶制御部２６には更に画像再生部２３が接続されており、記憶制御部２６は、画像データ記憶部２９から読み出した画像データを画像再生部２３へ入力する。画像再生部２３は、記憶制御部２６から入力された画像データをデコードし、画像データに基づいた静止画像を表す映像信号を生成する。画像再生部２３は、生成した映像信号を表示制御部２２へ入力し、表示制御部２２は、映像信号が表す静止画像を表示部２１に表示させる。
【００４０】
次に、以上の構成でなる受像システムが実行する処理を説明する。本発明の受像システムは、放送された番組の映像の表示を中止してウォールピクチャ用画像データ２９１に基づいた画像を表示するウォールピクチャ処理を実行し、ウォールピクチャ処理と平行して放送番組の内容を示す画像を取得し、取得した画像をウォールピクチャ用の画像に追加して表示する処理を行う。
【００４１】
図４は、受信装置１が実行するウォールピクチャ処理の開始及び終了の処理の手順を示すフローチャートである。映像信号を受信装置１から表示装置２へ送信する処理に平行して、受信装置１のリモコン送受信部１１１は、リモコン３からウォールピクチャ処理の開始指示を示す信号の受信を随時待ち受けている（Ｓ１１）。リモコン３は、例えば、「ウォールピクチャ開始」と記載された押下ボタンを備えており、この押下ボタンを視聴者が押下することによりウォールピクチャ処理の開始指示を視聴者から受け付け、ウォールピクチャ処理の開始指示を示す信号を受信装置１へ送信する。ウォールピクチャ処理の開始指示を示す信号の受信がない場合は（Ｓ１１：ＮＯ）、リモコン送受信部１１１は、信号の受信の待ち受けを続行する。ウォールピクチャ処理の開始指示を示す信号を受信した場合は（Ｓ１１：ＹＥＳ）、リモコン送受信部１１１は、ウォールピクチャ処理の開始指示をＨＤＭＩ送信部１０７へ入力し、ＨＤＭＩ送信部１０７はウォールピクチャ処理の開始指示を示す制御信号を表示装置２へ送信する（Ｓ１２）。表示装置２は、ウォールピクチャ処理の開始指示を示す制御信号をＨＤＭＩ受信部２８で受信し、ウォールピクチャ処理を開始する。受信装置１は、次に、受信装置１を構成する各部の内、タイマー制御部１０８及びリモコン送受信部１１１を除き、チューナ部１０１を含む各部への電力供給部からの給電を停止する（Ｓ１３）。これ以降、受信装置１は、チューナ部１０１を含む各部への給電が停止された省電力状態になる。
【００４２】
受信装置１が省電力状態となった状態で、リモコン送受信部１１１は、リモコン３からウォールピクチャ処理の終了指示を示す信号の受信を随時待ち受けている（Ｓ１４）。リモコン３は、例えば、「ウォールピクチャ終了」と記載された押下ボタンを備えており、この押下ボタンを視聴者が押下することによりウォールピクチャ処理の終了指示を視聴者から受け付け、ウォールピクチャ処理の終了指示を示す信号を受信装置１へ送信する。ウォールピクチャ処理の終了指示を示す信号の受信がない場合は（Ｓ１４：ＮＯ）、リモコン送受信部１１１は、信号の受信の待ち受けを続行する。ウォールピクチャ処理の終了指示を示す信号を受信した場合は（Ｓ１４：ＹＥＳ）、リモコン送受信部１１１は、ウォールピクチャ処理の終了指示をタイマー制御部１０８へ入力し、タイマー制御部１０８は、図示しない電力供給部からチューナ部１０１を含む各部への給電を再開させる（Ｓ１５）。給電が再開することにより、受信装置１は省電力状態から復帰する。タイマー制御部１０８は、ウォールピクチャ処理の終了指示を示す制御信号を表示装置２へ送信する（Ｓ１６）。表示装置２は、ウォールピクチャ処理の終了指示を示す制御信号をＨＤＭＩ受信部２８で受信し、ウォールピクチャ処理を終了する。受信装置１は、ウォールピクチャ処理の開始及び終了の処理を終了する。
【００４３】
図５は、実施の形態１に係る受像システムにおける、放送された番組の内容を示す画像を取得する処理の手順を示すフローチャートである。受信装置１が省電力状態になった後、タイマー制御部１０８は、省電力状態になってから経過した時間を計測し、１０分等の予め定められた所定時間が経過したか否かを判定する（Ｓ２０１）。所定時間がまだ経過していない場合は（Ｓ２０１：ＮＯ）、タイマー制御部１０８は経過時間の計測を続行する。省電力状態になってから所定時間が経過した場合は（Ｓ２０１：ＹＥＳ）、タイマー制御部１０８は、図示しない電力供給部からチューナ部１０１を含む各部への給電を再開させる（Ｓ２０２）。
【００４４】
タイマー制御部１０８は、次に、画像抽出制御部１０９を動作させ、画像抽出制御部１０９は、受信装置１で受信可能な複数のチャンネルの内で一のチャンネルを指定する信号を選局制御部１０５へ入力し、選局制御部１０５は、チューナ部１０１に指定されたチャンネルを選局させる。（Ｓ２０３）。チューナ部１０１は、選局されたチャンネルで放送信号を受信する（Ｓ２０４）。チューナ部１０１は、選局されたチャンネルの放送信号をストリームデータに変換し、ＴＳ復調部１０２はＴＳデータを生成し、ＴＳ処理部１０３は放送された番組の映像を表す映像データを生成し、映像復調部１０６はデジタル映像信号を生成する。画像抽出制御部１０９は、次に、画像抽出部１１０に、映像復調部１０６が出力するデジタル映像信号が表す番組の映像から静止画像を抽出させる（Ｓ２０５）。ＨＤＭＩ送信部１０７は、画像抽出部１１０が抽出した静止画像を表す画像データを表示装置２へ送信する（Ｓ２０６）。ステップＳ２０３〜Ｓ２０６の処理により、選局されたチャンネルで放送された番組の内容を示す画像が取得され、取得された画像を表す画像データが表示装置２へ送信される。
【００４５】
表示装置２は、受信装置１から送信された画像データをＨＤＭＩ受信部２８で受信する（Ｓ２０９）。ＨＤＭＩ受信部２８は画像データを記憶制御部２６へ入力し、記憶制御部２６は、画像データをキャプチャ画像データ２９２として画像データ記憶部２９に記憶させる（Ｓ２１０）。画像データ記憶部２９は、キャプチャ画像データ２９２にチャンネルに応じたファイル名を付与する等の方法で、キャプチャ画像データ２９２をチャンネル別に区別して記憶している。記憶制御部２６は、新たなキャプチャ画像データ２９２を画像データ記憶部２９に記憶させる際には、既に画像データ記憶部２９で記憶しているキャプチャ画像データ２９２の内で新たなキャプチャ画像データ２９２と同一のチャンネルに係るキャプチャ画像データ２９２に上書きするように、新たなキャプチャ画像データ２９２を画像データ記憶部２９に記憶させる。このようにして、画像データ記憶部２９には、最新の番組内容に対応するキャプチャ画像データ２９２が記憶される。
【００４６】
ステップＳ２０６が終了した後、画像抽出制御部１０９は、受信可能な全てのチャンネルで画像を取得する処理が終了したか否かを判定する（Ｓ２０７）。放送された番組の内容を示す画像を取得していないチャンネルがまだある場合は（Ｓ２０７：ＮＯ）、画像抽出制御部１０９は、処理をステップＳ２０３へ戻し、まだ画像を取得していないチャンネルを指定する信号を選局制御部１０５へ入力する。全てのチャンネルで画像を取得する処理が終了している場合は（Ｓ２０７：ＹＥＳ）、受信装置１は、タイマー制御部１０８及びリモコン送受信部１１１を除く、チューナ部１０１を含む各部への電力供給部からの給電を停止する（Ｓ２０８）。なお、以上では各チャンネルの画像を取得する都度画像データを送信する処理を説明しているが、受信装置１は、全てのチャンネルの画像を取得してからまとめて画像データを送信してもよい。受信装置１は、以上で画像を取得する処理を終了し、ステップＳ２０１から同一の処理を繰り返す。
【００４７】
図６は、表示装置２が実行するウォールピクチャ処理及び受信装置１で取得した画像を表示する処理の手順を示すフローチャートである。表示装置２の表示制御部２２は、ウォールピクチャ処理の開始指示を示す制御信号をＨＤＭＩ受信部２８で受信したことに対応して、受信装置１から送信されたデジタル映像信号に基づいた表示部２１での映像の表示を中止する（Ｓ３０１）。記憶制御部２６は、ウォールピクチャ用の画像を１０回等の予め定められた所定回数連続で表示したか否かを判定する（Ｓ３０２）。ウォールピクチャ用の画像をまだ所定回数連続で表示していない場合は（Ｓ３０２：ＮＯ）、記憶制御部２６は、画像データ記憶部２９で記憶している複数のウォールピクチャ用画像データ２９１の中から一のウォールピクチャ用画像データ２９１を読み出す（Ｓ３０３）。なお、記憶制御部２６は、記録媒体受付部２７を介して外部記録媒体４２から直接にウォールピクチャ用画像データ２９１を読み出す処理を行ってもよい。記憶制御部２６は読み出したウォールピクチャ用画像データ２９１を画像再生部２３へ入力し、画像再生部２３は、ウォールピクチャ用画像データ２９１をデコードすることにより、ウォールピクチャ用画像データ２９１に基づいた静止画像を表す映像信号を生成する（Ｓ３０４）。画像再生部２３は、映像信号を表示制御部２２へ入力し、表示制御部２２は、画像再生部２３からの映像信号に基づいた静止画像を表示部２１に表示させる（Ｓ３０５）。静止画像は、３０秒等の所定時間継続して表示部２１に表示される。ステップＳ３０４及びＳ３０５の処理は、本発明における第１表示手段に対応する。
【００４８】
ステップＳ３０２でウォールピクチャ用の画像を所定回数連続で表示している場合は（Ｓ３０２：ＹＥＳ）、記憶制御部２６は、画像データ記憶部２９で記憶している複数のキャプチャ画像データ２９２を読み出す（Ｓ３０６）。記憶制御部２６は読み出した複数のキャプチャ画像データ２９２を画像再生部２３へ入力し、画像再生部２３は、キャプチャ画像データ２９２をデコードし、全チャンネルに係る複数のキャプチャ画像データ２９２が表す静止画像を並べて一つの画像に合成した合成画像を生成する画像処理を行う（Ｓ３０７）。画像再生部２３は、合成画像を表す映像信号を表示制御部２２へ入力し、表示制御部２２は、画像再生部２３からの映像信号に基づいた画像を表示部２１に表示させることにより、表示部２１に合成画像を表示させる（Ｓ３０８）。合成画像は、３０秒等の所定時間継続して表示部２１に表示される。ステップＳ３０６〜Ｓ３０８の処理は、本発明における第２表示手段に対応する。
【００４９】
ステップＳ３０５又はステップＳ３０８が終了した場合は、表示制御部２２は、ウォールピクチャ処理の終了指示を示す制御信号をＨＤＭＩ受信部２８で受信したか否かを判定する（Ｓ３０９）。ウォールピクチャ処理の終了指示を示す制御信号の受信がない場合は（Ｓ３０９：ＮＯ）、記憶制御部２６は処理をステップＳ３０２から繰り返す。ウォールピクチャ処理の終了指示を示す制御信号を受信した場合は（Ｓ３０９：ＹＥＳ）、表示制御部２２は、受信装置１から送信されたデジタル映像信号に基づいた表示部２１での映像の表示を再開する（Ｓ３１０）。表示装置２は、ウォールピクチャ処理及び受信装置１で取得した画像を表示する処理を以上で終了する。
【００５０】
図７は、表示装置２で表示される画像の変遷を示す模式図である。表示部２１には、ウォールピクチャ用画像データ２９１に基づいたウォールピクチャ用の画像が表示され、複数のウォールピクチャ用の画像が順次表示される。ウォールピクチャ用の画像が連続して所定回数表示された後、全チャンネルの放送番組の内容を示す静止画像が並んで合成された合成画像が、ウォールピクチャ用の画像の合間に挿入されて表示される。合成画像中には、各静止画像に対応するチャンネル名を表示するようにしてもよい。
【００５１】
なお、表示装置２は、合成画像を表示するのではなく、複数のチャンネルの放送番組の内容を示す複数の静止画像を順次的に表示する処理を行ってもよい。図８は、表示装置２が実行する各チャンネルに係る静止画像を順次的に表示する処理の手順を示すフローチャートである。表示制御部２２は、ウォールピクチャ処理の開始指示を示す制御信号をＨＤＭＩ受信部２８で受信したことに対応して、表示部２１での映像の表示を中止し（Ｓ４０１）、記憶制御部２６は、ウォールピクチャ用の画像を所定回数連続で表示したか否かを判定する（Ｓ４０２）。ウォールピクチャ用の画像をまだ所定回数連続で表示していない場合は（Ｓ４０２：ＮＯ）、記憶制御部２６は、画像データ記憶部２９から一のウォールピクチャ用画像データ２９１を読み出す（Ｓ４０３）。画像再生部２３は、ウォールピクチャ用画像データ２９１をデコードし（Ｓ４０４）、表示制御部２２は、画像再生部２３からの映像信号に基づいた静止画像を表示部２１に表示させる（Ｓ４０５）。ステップＳ４０４及びＳ４０５の処理は、本発明における第１表示手段に対応する。
【００５２】
ステップＳ４０２でウォールピクチャ用の画像を所定回数連続で表示している場合は（Ｓ４０２：ＹＥＳ）、記憶制御部２６は、画像データ記憶部２９で記憶している複数のキャプチャ画像データ２９２の中から一のキャプチャ画像データ２９２を読み出す（Ｓ４０６）。記憶制御部２６は読み出したキャプチャ画像データ２９２を画像再生部２３へ入力し、画像再生部２３は、キャプチャ画像データ２９２をデコードすることにより、キャプチャ画像データ２９２に基づいた静止画像を表す映像信号を生成する（Ｓ４０７）。このとき、画像再生部２３は、静止画像中にチャンネル名を示す画像を含ませる画像処理を行ってもよい。画像再生部２３は、映像信号を表示制御部２２へ入力し、表示制御部２２は、画像再生部２３からの映像信号に基づいた静止画像を表示部２１に表示させる（Ｓ４０８）。ステップＳ４０８により、一のチャンネルで放送された番組の内容を示す静止画像が表示される。静止画像は、３０秒等の所定時間継続して表示部２１に表示される。記憶制御部２６は、次に、全チャンネルに係る静止画像を表示したか否かを判定する（Ｓ４０９）。静止画像をまだ表示していないチャンネルがある場合は（Ｓ４０９：ＮＯ）、記憶制御部２６は、処理をステップＳ４０６へ戻し、まだ表示していない静止画像を表すキャプチャ画像データ２９２を画像データ記憶部２９から読み出す。ステップＳ４０６〜Ｓ４０９を繰り返すことにより、複数のチャンネルで放送された番組の内容を示す複数の静止画像が個別に順次表示される。ステップＳ４０６〜Ｓ４０９の処理は、本発明における第２表示手段に対応する。
【００５３】
ステップＳ４０５が終了した場合、又はステップＳ４０９で全チャンネルに係る静止画像を表示している場合（Ｓ４０９：ＹＥＳ）は、表示制御部２２は、ウォールピクチャ処理の終了指示を示す制御信号をＨＤＭＩ受信部２８で受信したか否かを判定する（Ｓ４１０）。ウォールピクチャ処理の終了指示を示す制御信号の受信がない場合は（Ｓ４１０：ＮＯ）、記憶制御部２６は処理をステップＳ４０２から繰り返す。ウォールピクチャ処理の終了指示を示す制御信号を受信した場合は（Ｓ４１０：ＹＥＳ）、表示制御部２２は、受信装置１から送信されたデジタル映像信号に基づいた表示部２１での映像の表示を再開する（Ｓ４１１）。表示装置２は、ウォールピクチャ処理及び受信装置１で取得した画像を表示する処理を以上で終了する。
【００５４】
以上詳述した如く、本発明においては、ウォールピクチャ用画像データ２９１に基づいた画像を表示装置２で表示するウォールピクチャ処理を行いながら、受信装置１は、放送信号を受信し、放送された番組の映像から画像を抽出し、表示装置２は、抽出した画像を表す画像データに基づいた画像を、ウォールピクチャ用の画像に追加して表示する。これにより、本発明の受像システムでは、ウォールピクチャ処理中に、各チャンネルにおける放送中の番組の内容を示す画像をウォールピクチャ用の画像の合間に表示することになり、放送中の番組の内容を視聴者に対して報知することができる。表示装置２で番組の映像が表示されておらずウォールピクチャ処理が実行されている状態であっても、視聴者は、放送中の番組の内容を把握することが可能となる。また放送中の番組の内容を示す画像がウォールピクチャ用の画像の合間に表示されることにより、ウォールピクチャ処理において表示装置２に表示される画像が変化し、視聴者は飽きがこずに画像の変化を楽しむことができる。
【００５５】
なお、複数のチャンネルに係る複数の静止画を一つの画像に合成した合成画像を表示する処理と、複数の静止画を個別に表示する処理とは、設定で切り替えることが可能である。合成画像を表示することにより、視聴者は、各チャンネルの放送番組の内容を互いに比較することができる。また複数の静止画を個別に表示することにより、視聴者は、個別の放送番組の内容を詳しく把握することができる。
【００５６】
（実施の形態２）
実施の形態１においては、放送番組の内容を示す画像を表示装置２で表示する形態を示したが、実施の形態２では、放送番組の内容を示す画像をリモコン３で表示する形態を示す。実施の形態２に係る受像システムの外観は、図１に示した実施の形態１の場合と同様である。本実施の形態に係るリモコン３は、本発明における遠隔操作装置に対応する。
【００５７】
図９は、実施の形態２に係る受信装置１の内部の構成を示すブロック図である。画像抽出部１１０は、抽出した画像を表す画像データをリモコン送受信部１１１へ入力し、リモコン送受信部１１１は、入力された画像データをリモコン３へ送信する構成となっている。受信装置１のその他の構成は、図２に示した実施の形態１の場合と同様であり、対応する部分に同符号を付してその説明を省略する。
【００５８】
図１０は、実施の形態２に係るリモコン３の内部構成を示すブロック図である。リモコン３は、演算を行う演算部、演算に伴う情報を記憶するＲＡＭ、演算に必要なプログラムを記憶するＲＯＭ等からなり、リモコン３の各部の動作を制御する制御部３２を備える。制御部３２には、小型の液晶パネル又はＥＬパネル等の表示部３１と、受信装置１との間で情報の送受信を行う送受信部３３と、各種の押下ボタン又はタッチパネル等の操作部３４が接続されている。制御部３２は、必要な情報を表示部３１に表示させ、操作部３４にて視聴者からの操作を受け付け、受け付けた操作に応じた制御信号を送受信部３３から受信装置１へ送信する。またリモコン３は、受信装置１から送信されたデータを送受信部３３で受信することも可能である。制御部３２には、更に、半導体メモリ等で構成された記憶部３５が接続されている。制御部３２は、送受信部３３で受信したデータを必要に応じて記憶部３５に記憶させる。
【００５９】
次に、実施の形態２に係る受像システムで実行する処理を説明する。受信装置１が実行するウォールピクチャ処理の開始及び終了の処理は、実施の形態１と同様である。図１１は、実施の形態２に係る受像システムにおける、放送された番組の内容を示す画像を取得する処理の手順を示すフローチャートである。表示装置２でウォールピクチャ処理が行われている間、タイマー制御部１０８は、省電力状態になってから経過した時間を計測し、予め定められた所定時間が経過したか否かを判定する（Ｓ５０１）。所定時間がまだ経過していない場合は（Ｓ５０１：ＮＯ）、タイマー制御部１０８は経過時間の計測を続行する。省電力状態になってから所定時間が経過した場合は（Ｓ５０１：ＹＥＳ）、タイマー制御部１０８は、図示しない電力供給部からチューナ部１０１を含む各部への給電を再開させる（Ｓ５０２）。画像抽出制御部１０９は、一のチャンネルを指定する信号を選局制御部１０５へ入力し、選局制御部１０５は、チューナ部１０１に指定されたチャンネルを選局させる。（Ｓ５０３）。チューナ部１０１は、選局されたチャンネルで放送信号を受信し（Ｓ５０４）、画像抽出制御部１０９は、画像抽出部１１０に、映像復調部１０６が出力するデジタル映像信号が表す番組の映像から静止画像を抽出させる（Ｓ５０５）。画像抽出部１１０は、抽出した静止画像を表す画像データをリモコン送受信部１１１へ入力し、リモコン送受信部１１１は、画像抽出部１１０が抽出した静止画像を表す画像データをリモコン３へ送信する（Ｓ５０６）。
【００６０】
リモコン３は、受信装置１から送信された画像データを送受信部３３で受信する（Ｓ５０９）。制御部３２は、受信した画像データを記憶部３５に記憶させる（Ｓ５１０）。記憶部３５は、画像データをチャンネル別に区別して記憶しており、制御部３２は、新たに記憶すべき画像データと同一のチャンネルに係る画像データに上書きするように、新たな画像データを記憶させる。このようにして、記憶部３５には、最新の番組内容に対応する画像データが記憶される。
【００６１】
ステップＳ５０６が終了した後、画像抽出制御部１０９は、受信可能な全てのチャンネルで画像を取得する処理が終了したか否かを判定する（Ｓ５０７）。放送された番組の内容を示す画像を取得していないチャンネルがまだある場合は（Ｓ５０７：ＮＯ）、画像抽出制御部１０９は、処理をステップＳ５０３へ戻し、まだ画像を取得していないチャンネルを指定する信号を選局制御部１０５へ入力する。全てのチャンネルで画像を取得する処理が終了している場合は（Ｓ５０７：ＹＥＳ）、受信装置１は、タイマー制御部１０８及びリモコン送受信部１１１を除き、チューナ部１０１を含む各部への電力供給部からの給電を停止する（Ｓ５０８）。受信装置１は、画像を取得する処理を終了し、ステップＳ５０１から同一の処理を繰り返す。
【００６２】
図１２は、リモコン３が実行する各チャンネルに係る静止画像を表示する処理の手順を示すフローチャートである。リモコン３の制御部３２は、所定のタイミングで、記憶部３５で記憶している複数の画像データの中から一の画像データを読み出す（Ｓ５２１）。制御部３２は、読み出した画像データをデコードし、画像データに基づいた静止画像を表示部３１に表示させる（Ｓ５２２）。ステップＳ５２２では、制御部３２は、３０秒等の所定時間継続して静止画像を表示してもよく、また、操作部３４で視聴者からの任意の操作を受け付けるまで継続して静止画像を表示してもよい。ステップＳ５２２により、一のチャンネルで放送された番組の内容を示す静止画像が表示される。制御部３２は、次に、全チャンネルに係る静止画像を表示したか否かを判定する（Ｓ５２３）。静止画像をまだ表示していないチャンネルがある場合は（Ｓ５２３：ＮＯ）、制御部２６は、処理をステップＳ５２１へ戻し、まだ表示していない静止画像を表す画像データを記憶部３５から読み出す。全チャンネルに係る静止画像を表示している場合（Ｓ５２３：ＹＥＳ）、制御部２６は、処理を終了する。ステップＳ５２１〜Ｓ５２３を繰り返すことにより、複数のチャンネルで放送された番組の内容を示す複数の静止画像が順次リモコン３の表示部３１に表示される。制御部３２は、以上の処理を定期的に実行してもよく、また視聴者からの所定の操作を操作部３４で受け付けた場合に以上の処理を実行してもよい。
【００６３】
以上詳述した如く、本実施の形態においては、本発明の受像システムは、ウォールピクチャ処理中に、各チャンネルにおける放送中の番組の内容を示す画像をリモコン３の表示部３１に表示する。視聴者は、表示装置２でウォールピクチャ処理が実行されている最中に、リモコン３での表示を確認することにより、放送中の番組の内容を把握することが可能となる。
【００６４】
なお、本実施の形態に係る受像システムは、放送中の番組の内容を示す画像をリモコン３に表示させる処理と平行して実施の形態１と同様の処理を実行する形態であってもよく、また表示装置２では放送中の番組の内容を示す画像を表示しない形態であってもよい。また受像システムは、放送中の番組の内容を示す画像を表示装置２で表示するか、リモコン３で表示するか、又は表示装置２及びリモコン３の両方で表示するかを設定で切り替える形態であってもよい。
【００６５】
（実施の形態３）
実施の形態３においては、ＥＰＧ（Electronic Program Guide：電子番組表）を利用して放送番組の内容を示す画像を取得する形態を示す。実施の形態２に係る受像システムの外観は、図１に示した実施の形態１の場合と同様であり、また表示装置２の内部構成は図３に示した実施の形態１の場合と同様である。
【００６６】
図１３は、実施の形態３に係る受信装置１の内部の構成を示すブロック図である。チューナ部１０１は、ＥＰＧの内容を示す信号を含む放送信号を受信し、ＴＳ処理部１０３は、ＴＳデータからＥＰＧに係るデータを抽出する。ＴＳ処理部１０３には、ＥＰＧデータ復調部１１２が接続されており、ＴＳ処理部１０３はＥＰＧに係るデータをＥＰＧデータ復調部１１２へ入力する。ＥＰＧデータ復調部１１２は、入力されたデータから、放送される番組の番組名及び放送開始時刻等からなり、ＥＰＧの内容を表すＥＰＧデータを生成する。ＥＰＧデータ復調部１１２にはＨＤＭＩ送信部１０７が接続されており、ＥＰＧデータ復調部１１２はＨＤＭＩ送信部１０７へＥＰＧデータを入力し、ＨＤＭＩ送信部１０７はＨＤＭＩケーブル４１を介して表示装置２へＥＰＧデータを送信する。表示装置２は、ＨＤＭＩ受信部２８でＥＰＧデータを受信し、ＥＰＧデータに基づいたＥＰＧを表示部２１で表示することができる。またＥＰＧデータ復調部１１２は、タイマー制御部１０８及び画像抽出制御部１０９に接続されている。受信装置１のその他の構成は、図２に示した実施の形態１の場合と同様であり、対応する部分に同符号を付してその説明を省略する。
【００６７】
図１４は、表示装置２で表示するＥＰＧの例を示す模式図である。チャンネルＡ及びチャンネルＢ等のチャンネル別に番組表が表示される。各チャンネルでの番組表には、各番組の名称及び放送開始時刻が表示されている。
【００６８】
次に、実施の形態３に係る受像システムで実行する処理を説明する。受信装置１が実行するウォールピクチャ処理の開始及び終了の処理は、実施の形態１と同様である。ウォールピクチャ処理を開始する際には、受信装置１は、ＥＰＧデータに基づいて、何れかのチャンネルで番組が開始される時刻を、図示しない電力供給部からチューナ部１０１を含む各部への給電を再開させる時刻である再開時刻に設定してある。
【００６９】
図１５及び図１６は、実施の形態３に係る受像システムにおける、放送された番組の内容を示す画像を取得する処理の手順を示すフローチャートである。表示装置２でウォールピクチャ処理が行われている間、タイマー制御部１０８は、時刻を計測し、現在時刻が再開時刻になったか否かを判定する（Ｓ６０１）。まだ再開時刻ではない場合は（Ｓ６０１：ＮＯ）、タイマー制御部１０８は時刻の計測を続行する。現在時刻が再開時刻になった場合は（Ｓ６０１：ＹＥＳ）、タイマー制御部１０８は、図示しない電力供給部からチューナ部１０１を含む各部への給電を再開させる（Ｓ６０２）。ＥＰＧデータ復調部１１２は、チューナ部１０１で受信した放送信号に基づいて生成したＥＰＧデータ、又は必要に応じて記憶してあるＥＰＧデータに基づいて、再開時刻を放送開始時刻として番組の放送が開始されたチャンネルを特定する（Ｓ６０３）。図１４に示したＥＰＧの例において、放送開始時刻を１０：００とした場合は、ステップＳ６０３でチャンネルＡ及びチャンネルＢが特定される。
【００７０】
ＥＰＧデータ復調部１１２は、特定したチャンネルを示す情報を画像抽出制御部１０９へ入力し、画像抽出制御部１０９は、特定したチャンネルの内で一のチャンネルを指定する信号を選局制御部１０５へ入力し、選局制御部１０５は、チューナ部１０１に指定されたチャンネルを選局させる。（Ｓ６０４）。チューナ部１０１は、選局されたチャンネルで放送信号を受信し（Ｓ６０５）、画像抽出制御部１０９は、画像抽出部１１０に、映像復調部１０６が出力するデジタル映像信号が表す番組の映像から静止画像を抽出させる（Ｓ６０６）。画像抽出部１１０は、抽出した静止画像を表す画像データをＨＤＭＩ送信部１０７へ入力し、ＨＤＭＩ送信部１０７は、画像抽出部１１０が抽出した静止画像を表す画像データを表示装置２へ送信する（Ｓ６０７）。表示装置２は、画像データをＨＤＭＩ受信部２８で受信し（Ｓ６１２）、記憶制御部２６は、画像データをキャプチャ画像データ２９２として画像データ記憶部２９に記憶させる（Ｓ６１３）。
【００７１】
ステップＳ６０７が終了した後、画像抽出制御部１０９は、特定した全てのチャンネルで画像を取得する処理が終了したか否かを判定する（Ｓ６０８）。放送された番組の内容を示す画像を取得していないチャンネルがまだある場合は（Ｓ６０８：ＮＯ）、画像抽出制御部１０９は、処理をステップＳ６０４へ戻し、特定したチャンネルの内でまだ画像を取得していないチャンネルを指定する信号を選局制御部１０５へ入力する。特定した全てのチャンネルで画像を取得する処理が終了している場合は（Ｓ６０８：ＹＥＳ）、ＥＰＧデータ復調部１１２は、ＥＰＧデータに基づいて、何れかのチャンネルで次に最も早く放送が開始される番組の放送開始時刻を特定する（Ｓ６０９）。図１４に示したＥＰＧを用いて１０：００に省電力状態から復帰した例では、次の放送開始時刻として１０：００を特定する。ＥＰＧデータ復調部１１２は、特定した放送開始時刻をタイマー制御部１０８へ入力し、タイマー制御部１０８は入力された放送開始時刻を再開時刻に設定する（Ｓ６１０）。受信装置１は、次に、タイマー制御部１０８及びリモコン送受信部１１１を除き、チューナ部１０１を含む各部への電力供給部からの給電を停止する（Ｓ６１１）。受信装置１は、以上で画像を取得する処理を終了し、ステップＳ６０１から同一の処理を繰り返す。
【００７２】
表示装置２は、実施の形態１と同様に、ウォールピクチャ処理及び受信装置１で取得した画像を表示する処理を実行する。以上の処理により、本実施の形態においても、本発明の受像システムは、ウォールピクチャ処理中に、各チャンネルにおける放送中の番組の内容を示す画像をウォールピクチャ用の画像の合間に表示する。ＥＰＧデータに基づき、次に最も早く放送が開始される番組の放送開始時刻を再開時刻に設定し、設定した再開時刻にチューナ部１０１への給電を再開し、放送が開始された番組の内容を示す画像を取得することにより、新たな番組の放送が開始されたときにその番組の内容を視聴者に対して報知することができる。なお、本実施の形態においては、番組が新たに開始されたチャンネルに係る画像を取得する形態を示したが、本発明の受像システムは、受信可能な全てのチャンネルに係る画像を取得する形態であってもよい。
【００７３】
（実施の形態４）
実施の形態４においては、予め定められたチャンネルで番組が開始される都度、番組内容を示す画像を更新する処理を行う。本実施の形態に係る本発明の受像システムの構成は実施の形態３と同様である。
【００７４】
図１７は、実施の形態４に係る受信装置１で番組の内容を示す画像を取得するチャンネル及び再開時刻を設定する処理の手順を示すフローチャートである。リモコン３は、視聴者から所定の操作を受け付けることによりチャンネルの指定を受け付け、指定されたチャンネルを示す信号を受信装置１へ送信する。受信装置１のリモコン送受信部１１１は指定されたチャンネルを示す信号を受信し、タイマー制御部１０８は、指定されたチャンネルを、番組の内容を示す画像を取得するチャンネルとして設定する（Ｓ７０１）。ＥＰＧデータ復調部１１２は、チューナ部１０１で受信した放送信号に基づいてＥＰＧデータを生成し（Ｓ７０２）、指定されたチャンネルで放送される複数の番組の放送開始時刻をＥＰＧデータから読み出すことにより、指定されたチャンネルに係る各番組の放送開始時刻を特定する（Ｓ７０３）。ＥＰＧデータ復調部１１２は、特定した複数の放送開始時刻をタイマー制御部１０８へ入力し、タイマー制御部１０８は、入力された複数の放送開始時刻を再開時刻に設定し（Ｓ７０４）、処理を終了する。タイマー制御部１０８では、設定されたチャンネル及び再開時刻が記憶される。図１４に示すＥＰＧの例でチャンネルＢが指定された場合は、再開時刻として１０：００、１０：５０及び１１：００が設定される。
【００７５】
受信装置１が実行するウォールピクチャ処理の開始及び終了の処理は、実施の形態１と同様である。図１８は、実施の形態４に係る受像システムにおける、放送された番組の内容を示す画像を取得する処理の手順を示すフローチャートである。表示装置２でウォールピクチャ処理が行われている間、タイマー制御部１０８は、時刻を計測し、現在時刻が再開時刻になったか否かを判定する（Ｓ７１１）。まだ再開時刻ではない場合は（Ｓ７１１：ＮＯ）、タイマー制御部１０８は時刻の計測を続行する。現在時刻が再開時刻になった場合は（Ｓ７１１：ＹＥＳ）、タイマー制御部１０８は、図示しない電力供給部からチューナ部１０１を含む各部への給電を再開させる（Ｓ７１２）。
【００７６】
タイマー制御部１０８は、設定してあるチャンネルを示す情報を画像抽出制御部１０９へ入力し、画像抽出制御部１０９は、設定してあるチャンネルを指定する信号を選局制御部１０５へ入力し、選局制御部１０５は、チューナ部１０１に設定してあるチャンネルを選局させる（Ｓ７１３）。チューナ部１０１は、選局されたチャンネルで放送信号を受信し（Ｓ７１４）、画像抽出制御部１０９は、画像抽出部１１０に、映像復調部１０６が出力するデジタル映像信号が表す番組の映像から静止画像を抽出させる（Ｓ７１５）。画像抽出部１１０は、抽出した静止画像を表す画像データをＨＤＭＩ送信部１０７へ入力し、ＨＤＭＩ送信部１０７は、画像抽出部１１０が抽出した静止画像を表す画像データを表示装置２へ送信する（Ｓ７１６）。表示装置２は、画像データをＨＤＭＩ受信部２８で受信し（Ｓ７１８）、記憶制御部２６は、画像データをキャプチャ画像データ２９２として画像データ記憶部２９に記憶させる（Ｓ７１９）。ステップＳ７１６が終了した後、受信装置１は、タイマー制御部１０８及びリモコン送受信部１１１を除き、チューナ部１０１を含む各部への電力供給部からの給電を停止する（Ｓ７１７）。受信装置１は、以上で画像を取得する処理を終了し、ステップＳ７１１から同一の処理を繰り返す。
【００７７】
表示装置２は、実施の形態１と同様に、ウォールピクチャ処理及び受信装置１で取得した画像を表示する処理を実行する。以上の処理により、本実施の形態においては、本発明の受像システムは、ウォールピクチャ処理中に、指定されたチャンネルにおける放送中の番組の内容を示す画像をウォールピクチャ用の画像の合間に表示する。ＥＰＧデータに基づき、指定されたチャンネルにおける各番組の放送開始時刻を予め再開時刻として設定しておくことにより、指定されたチャンネルで新たな番組の放送が開始されたときにその番組の内容を視聴者に対して報知することができる。なお、本実施の形態においては、指定されたチャンネルのみに係る画像を取得する形態を示したが、本発明の受像システムは、受信可能な全てのチャンネルに係る画像を取得する形態であってもよい。この形態の場合は、指定されたチャンネルで放送が開始された番組の内容を報知するのみならず、他チャンネルで放送されている番組の内容をも報知することが可能となる。
【００７８】
（実施の形態５）
実施の形態５においては、予め定められた時間帯の中で番組内容を示す画像を更新する処理を行う。図１４に示すＥＰＧの例で示されるように、番組の放送開始時刻はある特定の時間帯に偏っており、殆どの番組が毎時００分前後又は毎時３０分前後の時刻に放送開始されている。本実施の形態における受信装置１では、番組の放送開始時刻が集中している時間帯で番組の内容に対応する画像を取得できるように、画像取得の処理の再開時刻及び停止時刻を予め設定してある。例えば、受信装置１は、毎時５５分の時刻を再開時刻に設定し、毎時０５分の時刻を停止時刻に設定してある。タイマー制御部１０８は、再開時刻及び停止時刻を記憶してある。本実施の形態に係る本発明の受像システムのその他の構成は実施の形態３と同様である。
【００７９】
図１９及び図２０は、実施の形態５に係る受像システムにおける、放送された番組の内容を示す画像を取得する処理の手順を示すフローチャートである。表示装置２でウォールピクチャ処理が行われている間、タイマー制御部１０８は、時刻を計測し、現在時刻が再開時刻になったか否かを判定する（Ｓ８０１）。まだ再開時刻ではない場合は（Ｓ８０１：ＮＯ）、タイマー制御部１０８は時刻の計測を続行する。現在時刻が再開時刻になった場合は（Ｓ８０１：ＹＥＳ）、タイマー制御部１０８は、図示しない電力供給部からチューナ部１０１を含む各部への給電を再開させる（Ｓ８０２）。ＥＰＧデータ復調部１１２は、チューナ部１０１で受信した放送信号に基づいて生成したＥＰＧデータ、又は必要に応じて記憶してあるＥＰＧデータに基づいて、停止時刻までの時間の間に放送が開始される番組のチャンネル及び放送開始時刻を特定する（Ｓ８０３）。ＥＰＧデータ復調部１１２は、特定したチャンネルを示す情報を画像抽出制御部１０９へ入力し、特定した放送開始時刻を示す情報をタイマー制御部１０８へ入力する。
【００８０】
タイマー制御部１０８は、時刻を計測し、現在時刻が何れかの番組の放送開始時刻になったか否かを判定する（Ｓ８０４）。現在時刻が何れかの番組の放送開始時刻になった場合は（Ｓ８０４：ＹＥＳ）、画像抽出制御部１０９は、番組の放送が開始されたチャンネルの内で一のチャンネルを指定する信号を選局制御部１０５へ入力し、選局制御部１０５は、チューナ部１０１に指定されたチャンネルを選局させる。（Ｓ８０５）。チューナ部１０１は、選局されたチャンネルで放送信号を受信し（Ｓ８０６）、画像抽出制御部１０９は、画像抽出部１１０に、映像復調部１０６が出力するデジタル映像信号が表す番組の映像から静止画像を抽出させる（Ｓ８０７）。画像抽出部１１０は、抽出した静止画像を表す画像データをＨＤＭＩ送信部１０７へ入力し、ＨＤＭＩ送信部１０７は、画像抽出部１１０が抽出した静止画像を表す画像データを表示装置２へ送信する（Ｓ８０８）。表示装置２は、画像データをＨＤＭＩ受信部２８で受信し（Ｓ８１２）、記憶制御部２６は、画像データをキャプチャ画像データ２９２として画像データ記憶部２９に記憶させる（Ｓ８１３）。
【００８１】
ステップＳ８０８が終了した後、画像抽出制御部１０９は、番組が放送開始した全てのチャンネルで画像を取得する処理が終了したか否かを判定する（Ｓ８０９）。放送開始した番組の内容を示す画像を取得していないチャンネルがまだある場合は（Ｓ８０９：ＮＯ）、画像抽出制御部１０９は、処理をステップＳ８０５へ戻し、番組が放送開始したチャンネルの内でまだ画像を取得していないチャンネルを指定する信号を選局制御部１０５へ入力する。
【００８２】
ステップＳ８０４でまだ放送開始時刻ではない場合（Ｓ８０４：ＮＯ）、又はステップＳ８０９で番組が放送開始した全てのチャンネルで画像を取得する処理が終了している場合は（Ｓ８０９：ＹＥＳ）、タイマー制御部１０８は、時刻を計測し、現在時刻が停止時刻になったか否かを判定する（Ｓ８１０）。まだ停止時刻ではない場合は（Ｓ８１０：ＮＯ）、タイマー制御部１０８は処理をステップＳ８０４へ戻す。現在時刻が停止時刻になった場合は（Ｓ８１０：ＹＥＳ）、受信装置１は、タイマー制御部１０８及びリモコン送受信部１１１を除き、チューナ部１０１を含む各部への電力供給部からの給電を停止する（Ｓ８１１）。受信装置１は、以上で画像を取得する処理を終了し、ステップＳ８０１から同一の処理を繰り返す。
【００８３】
表示装置２は、実施の形態１と同様に、ウォールピクチャ処理及び受信装置１で取得した画像を表示する処理を実行する。以上の処理により、本実施の形態においては、本発明の受像システムは、ウォールピクチャ処理中に、予め定められた時間帯において放送が開始された番組の内容を示す画像をウォールピクチャ用の画像の合間に表示する。画像を取得する処理の開始時間及び終了時間を、番組の放送開始時間が集中している時間帯の前後に設定しておくことにより、新たに放送が開始される番組の内容を示す画像を効率的に更新し、視聴者に対して番組の内容を報知することができる。
【００８４】
なお、以上の実施の形態１〜５においては、放送された番組の内容を示す静止画像を表示する形態を示したが、本発明の受像システムは、放送された番組の内容を示す画像として動画像を表示する形態であってもよい。またウォールピクチャの画像に追加して番組の内容を示す画像を表示する方法としては、ウォールピクチャの画像の合間に番組の内容を示す画像を表示する方法以外の方法を用いてもよい。例えば、表示部２１の画面を分割してウォールピクチャの画像及び番組の内容を示す画像を同時に表示する方法、又はウォールピクチャの画像に重ねて番組の内容を示す画像表示する方法等の方法を用いてもよい。
【００８５】
また実施の形態１〜５においては、デジタル放送の放送信号を受信する形態を示したが、本発明の受像システムは、アナログ放送の放送信号を受信する形態であってもよい。また実施の形態１〜５においては、音声を表示装置２で出力する形態を示したが、本発明の受像システムは、表示装置２とは別のスピーカを受信装置１に接続しておき、このスピーカを用いて音声を出力する形態であってもよい。
【００８６】
また実施の形態１〜５においては、受信装置１がリモコン３との通信を行う形態を示したが、本発明の受像システムは、表示装置２がリモコン３との通信を行い、受信装置１は表示装置２を介してリモコン３との通信を行う形態であってもよい。また実施の形態１〜５においては、データを機器間で送受信するためのインタフェースとしてＨＤＭＩを用いた形態を示したが、本発明の受像システムは、必要なデータを受信装置１及び表示装置２の間で交換できるインタフェースであれば、その他のインタフェースを用いた形態であってもよい。また受信装置１及び表示装置２の間は無線通信でデータを交換する形態であってもよい。
【００８７】
また実施の形態１〜５においては、本発明の形態として受信装置１及び表示装置２を含んでなる受像システムを示したが、本発明は、受信装置１及び表示装置２の両方の機能を備えた受像機で実現することも可能である。図２１は、本発明の受像機５の構成を示す模式図である。受像機５は、受信装置１に対応する部分と表示装置２に対応する部分とを備えており、実施の形態１〜５に係る受信装置１及び表示装置２と同様の処理を実行することが可能である。なお、受像機５内で各種のデータを伝送するためにＨＤＭＩを用いる必要はなく、通常の機器内で利用可能なデータ伝送方式を用いればよい。
【符号の説明】
【００８８】
１  受信装置
１０１  チューナ部
１０５  選局制御部
１０７  ＨＤＭＩ送信部
１０８  タイマー制御部
１０９  画像抽出制御部
１１０  画像抽出部
１１１  リモコン送受信部
２  表示装置
２１  表示部
２２  表示制御部
２３  画像再生部
２６  記憶制御部
２８  ＨＤＭＩ受信部
２９  画像データ記憶部
３  リモコン（遠隔操作装置）
３１  表示部
３２  制御部
５  受像機
【図１】
2010177946.tif 000003
【図２】
2010177946.tif 000004
【図３】
2010177946.tif 000005
【図４】
2010177946.tif 000006
【図５】
2010177946.tif 000007
【図６】
2010177946.tif 000008
【図７】
2010177946.tif 000009
【図８】
2010177946.tif 000010
【図９】
2010177946.tif 000011
【図１０】
2010177946.tif 000012
【図１１】
2010177946.tif 000013
【図１２】
2010177946.tif 000014
【図１３】
2010177946.tif 000015
【図１４】
2010177946.tif 000016
【図１５】
2010177946.tif 000017
【図１６】
2010177946.tif 000018
【図１７】
2010177946.tif 000019
【図１８】
2010177946.tif 000020
【図１９】
2010177946.tif 000021
【図２０】
2010177946.tif 000022
【図２１】
2010177946.tif 000023